(57)【要約】【課題】取り扱い性及び施工後の見栄えの向上が可能でありながらも、破損の発生を低減し、安定的に積み重ね得る長尺状造作材の梱包構造及びこれを用いて梱包される長尺状造作材を提供する。【解決手段】帯板状の基材１０の表面１０ａに化粧シート１７を貼着してなる長尺状造作材１の梱包構造であって、長手方向の略中央の裏面側に、少なくとも前記化粧シートを残すように、略角溝状の凹溝部１３を幅方向の全体に亘って設けた前記長尺状造作材を、長手方向の略中央でその両側の半部１１，１２の表面１１ａ，１２ａが互いに平行となって対向するように二つ折りにし、かつこれら半部に連なる近傍部位１４ａ，１４ａをそれぞれが連なる半部の裏面１１ｂ，１２ｂ側へ膨らませるように前記凹溝部の溝底部分の残存部位１４を溝底側が突湾曲面形状となるように折り曲げた状態で梱包した構造とされていることを特徴とする長尺状造作材の梱包構造。【選択図】図１
2014159297.tif 000002
【特許請求の範囲】
【請求項１】
帯板状の基材の表面に化粧シートを貼着してなる長尺状造作材の梱包構造であって、
長手方向の略中央の裏面側に、少なくとも前記化粧シートを残すように、略角溝状の凹溝部を幅方向の全体に亘って設けた前記長尺状造作材を、長手方向の略中央でその両側の半部の表面が互いに平行となって対向するように二つ折りにし、かつこれら半部に連なる近傍部位をそれぞれが連なる半部の裏面側へ膨らませるように前記凹溝部の溝底部分の残存部位を溝底側が突湾曲面形状となるように折り曲げた状態で梱包した構造とされていることを特徴とする長尺状造作材の梱包構造。
【請求項２】
請求項１において、
前記凹溝部の溝底部分の前記化粧シートの裏面側に残存させた基材の一部に、前記長尺状造作材の幅方向に延びる複数の細溝を前記長尺状造作材の長手方向に並列状に設けたことを特徴とする長尺状造作材の梱包構造。
【請求項３】
請求項１または２において、
前記両側の半部の表面間に滑り防止部材を挟持させていることを特徴とする長尺状造作材の梱包構造。
【請求項４】
請求項１乃至３のいずれか一項に記載の長尺状造作材の梱包構造を用いて梱包される長尺状造作材であって、
略直線状に展開された状態で前記凹溝部に嵌合される角棒状のスペーサを備えていることを特徴とする長尺状造作材。
【請求項５】
請求項４において、
前記長尺状造作材の幅方向一方側面の化粧シートと、これと略同一平面状に配される前記スペーサの一方側面とを同色同柄状としたことを特徴とする長尺状造作材。
【発明の詳細な説明】
【技術分野】
【０００１】
本発明は、長尺状造作材の梱包構造及びこれを用いて梱包される長尺状造作材に関する。
【背景技術】
【０００２】
従来より、建物の壁と床との入隅部に配設される幅木や、壁と天井との入隅部に配設される廻縁等の造作材は、長手方向端部同士を突き合わせて形成される継目を少なくする観点等から、一般的には長尺状とされている。しかしながら、このように長尺状とされた造作材は、輸送時や施工現場への搬入時等に取り扱い難く、また、破損し易いという問題があり、更なる改善が望まれていた。
例えば、下記特許文献１では、複数の非屈曲性帯状板体の長辺方向の端部同士の間に裏面側で開口しかつ短辺方向へ延びる断面矩形状の溝部が形成されるように、各帯状板体の表面に長辺方向の全長に亘って屈曲性を有する化粧シートを貼着した建築用長尺造作材が提案されている。この建築用長尺造作材は、各帯状板体を、それぞれの化粧シート表面が対向するように溝部を介して折り畳んで建築用長尺造作材自体の長さを短くして梱包及び運搬がなされる構成とされている。また、この建築用長尺造作材は、化粧シートへの折れ目の発生を防止するために、溝部の底部分となる化粧シートの折り畳み部位に丸棒状等のクッション材を介在させた構成としている。
【先行技術文献】
【特許文献】
【０００３】
【特許文献１】実開平５−８９６８５号公報
【発明の概要】
【発明が解決しようとする課題】
【０００４】
しかしながら、上記特許文献１の建築用長尺造作材では、化粧シートの折り畳み部位にクッション材を介在させた構成としている。そのため、各帯状板体の表面間に、各帯状板体の長手方向折り畳み端部側のクッション材側から長手方向反折り畳み端部側に向かうに従い先細り状の空間が形成されることとなる。これにより、クッション材が移動し易くなったり、折り畳まれた帯状板体同士がずれ易くなったりすることが考えられ、各帯状板体の溝部側の縁部等の部位から化粧シートが剥離し易くなったり、化粧シートの折り畳み部位が破損し易くなることが考えられる。また、折り畳まれた複数の建築用長尺造作材を厚さ方向に積み重ねて梱包したり、保管したりするような場合には、不安定になるということも考えられ、化粧シートの破損等がより生じ易くなることも考えられる。
【０００５】
本発明は上記実情に鑑みてなされたものであり、取り扱い性及び施工後の見栄えの向上が可能でありながらも、破損の発生を低減し、安定的に積み重ね得る長尺状造作材の梱包構造及びこれを用いて梱包される長尺状造作材を提供することを目的とする。
【課題を解決するための手段】
【０００６】
上記目的を達成するために、本発明に係る長尺状造作材の梱包構造は、帯板状の基材の表面に化粧シートを貼着してなる長尺状造作材の梱包構造であって、長手方向の略中央の裏面側に、少なくとも前記化粧シートを残すように、略角溝状の凹溝部を幅方向の全体に亘って設けた前記長尺状造作材を、長手方向の略中央でその両側の半部の表面が互いに平行となって対向するように二つ折りにし、かつこれら半部に連なる近傍部位をそれぞれが連なる半部の裏面側へ膨らませるように前記凹溝部の溝底部分の残存部位を溝底側が突湾曲面形状となるように折り曲げた状態で梱包した構造とされていることを特徴とする。
【０００７】
本発明においては、前記凹溝部の溝底部分の前記化粧シートの裏面側に残存させた基材の一部に、前記長尺状造作材の幅方向に延びる複数の細溝を前記長尺状造作材の長手方向に並列状に設けてもよい。
また、本発明においては、前記両側の半部の表面間に滑り防止部材を挟持させるようにしてもよい。
【０００８】
上記目的を達成するために、本発明に係る長尺状造作材は、本発明に係る長尺状造作材の梱包構造を用いて梱包される長尺状造作材であって、略直線状に展開された状態で前記凹溝部に嵌合される角棒状のスペーサを備えていることを特徴とする。
【０００９】
また、本発明においては、前記長尺状造作材の幅方向一方側面の化粧シートと、これと略同一平面状に配される前記スペーサの一方側面とを同色同柄状としてもよい。
【発明の効果】
【００１０】
本発明に係る長尺状造作材の梱包構造及びこれを用いて梱包される長尺状造作材は、上述のような構成としたことで、取り扱い性及び施工後の見栄えの向上が可能でありながらも、破損の発生を低減し、安定的に積み重ねることができる。
【図面の簡単な説明】
【００１１】
【図１】（ａ）〜（ｃ）は、いずれも本発明の一実施形態に係る長尺状造作材の梱包構造及び同梱包構造を用いて梱包される長尺状造作材の一例を模式的に示し、（ａ）は、図２のＸ部に対応させた一部破断概略平面図、（ｂ）は、同長尺状造作材を模式的に示す一部破断概略分解平面図、（ｃ）は、同長尺状造作材を施工した状態を示す一部破断概略平面図である。
【図２】同長尺状造作材の梱包構造の一例を模式的に示す一部破断概略平面図である。
【図３】本発明の他の実施形態に係る長尺状造作材の梱包構造の一例を模式的に示し、図１（ａ）に対応させた一部破断概略平面図である。
【発明を実施するための形態】
【００１２】
以下に本発明の実施の形態について、図面に基づいて説明する。
図１及び図２は、第１実施形態に係る長尺状造作材の梱包構造及びこれを用いて梱包される長尺状造作材を模式的に示す図である。
本実施形態に係る長尺状造作材１の梱包構造は、帯板状の基材１０の表面１０ａに化粧シート１７を貼着してなる長尺状造作材１を梱包する構造とされている。
【００１３】
長尺状造作材１は、略帯板状体とされている。また、この長尺状造作材１は、例えば、壁と床との入隅部に配設される巾木や、壁と天井との入隅部に配設される廻縁等としてもよい。
この長尺状造作材１は、図１（ｃ）に示すように、その厚さ方向一方側面（裏面）を壁等の固定対象３に当接させて、固定対象３に固定される。
また、長尺状造作材１の長さ寸法は、その厚さ寸法及び幅寸法よりも十分に大きい寸法とされている。この長尺状造作材１の長さ寸法は、例えば、３６００ｍｍ〜４５００ｍｍ程度としてもよい。また、長尺状造作材１の厚さ寸法は、例えば、５ｍｍ〜１５ｍｍ程度としてもよい。また、長尺状造作材１の幅寸法は、例えば、４０ｍｍ〜１００ｍｍ程度としてもよい。
【００１４】
長尺状造作材１の基材１０は、折り曲げ難い難折曲性の材料から形成されている。基材１０としては、無垢材や、ＭＤＦ（中密度繊維板）等の木質繊維板、合板やＬＶＬ（単板積層材）等の木質積層板、パーティクルボード等の木質ボード、インシュレーションボード等の木質系材料から形成されたものとしてもよい。または、合成樹脂性材料から形成されたものとしてもよい。または、合成樹脂系材料に木粉や無機フィラー等を所定の含有割合で含有させた木粉・プラスチック複合材（ＷＰＣ）等から形成されたものとしてもよい。
【００１５】
化粧シート１７は、長尺状造作材１が固定対象３に固定された状態における建物内空間側に向く反固定対象３側面としての基材１０の表面（厚さ方向他方側面）１０ａに貼着されている。
また、本実施形態では、図１（ｃ）に示すように、長尺状造作材１が固定対象３に固定された状態における建物内空間側に向く面となる基材１０の幅方向一方側面に化粧シート（幅方向一方側化粧シート）１８を貼着している。
この長尺状造作材１の幅方向一方側面は、長尺状造作材１を巾木として施工した場合には、上面となり、長尺状造作材１を廻縁として施工した場合には、下面となる。
【００１６】
これら化粧シート１７及び幅方向一方側化粧シート１８としては、シート状やフィルム状のものとしてもよく、例えば、突板や、合成樹脂シート等を採用するようにしてもよい。
また、これら化粧シート１７及び幅方向一方側化粧シート１８は、一連状に基材１０に貼着されたものとしてもよい。
なお、基材１０の表面１０ａ側の幅方向一方側の縁部にＣ面取形状等とされた面取り部を設けるようにしてもよい。この場合は、化粧シート１７及び幅方向一方側化粧シート１８を、この面取り部を覆うように一連状に基材１０に貼着するようにしてもよい。
また、基材１０の表面１０ａ及び幅方向一方側面に、化粧シート１７，１８を貼着した態様に加えて、基材１０の裏面の一部または全体や、幅方向他方側面の一部または全体にも化粧シートを貼着するようにしてもよい。
【００１７】
当該長尺状造作材１の梱包構造は、長尺状造作材１の長手方向の略中央の裏面側に、少なくとも化粧シート１７を残すように、略角溝状の凹溝部１３を幅方向の全体に亘って設けている。また、この長尺状造作材１を、長手方向の略中央でその両側の半部１１，１２の表面１１ａ，１２ａが互いに平行となって対向するように二つ折りにした状態で梱包した構造とされている。また、これら半部１１，１２に連なる近傍部位１４ａ，１４ａをそれぞれが連なる半部１１，１２の裏面１１ｂ，１２ｂ側へ膨らませるように凹溝部１３の溝底部分の残存部位１４を溝底側が突湾曲面形状となるように折り曲げた状態で梱包した構造とされている。
【００１８】
凹溝部１３は、図１（ｂ）に示すように、長尺状造作材１を略直線状に展開させた状態で、長尺状造作材１の裏面側及び幅方向両側に向けて開口するように、形成されている。また、凹溝部１３を区画形成する対向壁部は、長尺状造作材１を略直線状に展開させた状態で、略平行状とされている。
この凹溝部１３の溝幅寸法（長尺状造作材１の長手方向に沿う寸法）は、大き過ぎれば、長尺状造作材１を二つ折りにし、凹溝部１３の溝底部分の残存部位１４を溝底側が突湾曲面形状となるように折り曲げた状態で、凹溝部１３の溝底部分の残存部位１４が比較的に大径状となり、破損等が生じ易くなる傾向がある。一方、凹溝部１３の溝幅寸法が小さ過ぎれば、凹溝部１３の溝底部分の残存部位１４を溝底側が突湾曲面形状となるように折り曲げ難くなる傾向がある。このような観点から、凹溝部１３の溝幅寸法を、適宜設定するようにしてもよく、例えば、５ｍｍ〜３０ｍｍ程度、好ましくは、１０ｍｍ〜２０ｍｍ程度としてもよい。図例では、凹溝部１３の溝幅寸法を、長尺状造作材１の厚さ寸法と略同寸法とした例を示している。
【００１９】
また、本実施形態では、図１に示すように、凹溝部１３の溝底部分の化粧シート１７の裏面側に残存させた基材の一部１５に、長尺状造作材１の幅方向に延びる複数の細溝１６を長尺状造作材１の長手方向に並列状に設けている。
本実施形態では、細溝１６を鋭角な略Ｖ溝状としている。また、本実施形態では、略同寸同形状とされた多数の細溝１６を、互いに隣接させて設けている。また、本実施形態では、これら細溝１６を、長尺状造作材１の幅方向に見て略鋸歯状となるように長尺状造作材１の長手方向に並列状に多数設けている。また、細溝１６は、その溝底が化粧シート１７に達しないように形成されている。
【００２０】
また、図１（ａ）に示すように、長尺状造作材１を二つ折りにし、凹溝部１３の溝底部分の残存部位１４を溝底側が突湾曲面形状となるように折り曲げた状態では、各細溝１６の溝底のなす角度が、長尺状造作材１を略直線状に展開させた状態よりも拡開した状態となる（図１（ｂ）も参照）。また、この状態では、基材の一部１５における隣り合う細溝１６，１６間の部位が、凹溝部１３の溝底部分の残存部位１４の外径方向に向けて放射状に突出した状態となる。
なお、凹溝部１３及び細溝１６は、適宜の切削工具等によって形成するようにしてもよい。
また、細溝１６は、溝底側に基材１０の一部を残存させるように形成するようにしてもよく、または、溝底が化粧シート１７となるように形成するようにしてもよい。
【００２１】
この凹溝部１３を挟んだ長尺状造作材１の長手方向両側部の半部１１，１２は、互いに略同寸同形状とされている。
本実施形態では、これら半部１１，１２を、図２に示すように、それぞれの凹溝部１３を区画形成する対向壁部を含む長手方向両端面が略同一平面状となるように長尺状造作材１を二つ折りし、梱包した構造としている。また、これら半部１１，１２を、それぞれの幅方向両側面が略同一平面状となるように長尺状造作材１を二つ折りし、梱包した構造としている。
【００２２】
凹溝部１３の溝底部分の残存部位１４は、これら半部１１，１２同士を連結するように設けられた連結片部１４とされている。
また、この連結片部１４は、図１（ａ）に示すように、折り曲げ状態では、溝底側を外方側に露出させるように、その溝底側が突湾曲面形状とされている。つまり、換言すれば、連結片部１４は、折り曲げ状態では、その表面側（化粧シート１７の表面側）が凹湾曲面形状とされている。
また、この連結片部１４は、折り曲げ状態では、その溝底側の略全体が突湾曲面形状とされている。
また、この連結片部１４は、折り曲げ状態では、半部１１，１２に連なる近傍部位としての半部側部位１４ａ，１４ａが、それぞれが連なる半部１１，１２の裏面１１ｂ，１２ｂ側へ膨らんだ形状とされている。つまり、折り曲げ状態では、連結片部１４の半部側部位１４ａ，１４ａが、それぞれが連なる半部１１，１２の端縁よりも、それぞれが連なる半部１１，１２の厚さ方向裏面側に位置した状態となる。
【００２３】
また、本実施形態では、折り曲げ状態の連結片部１４を、各半部１１，１２（長尺状造作材１）の幅方向に見て半円形状よりも大きい円弧形状としている。図例では、連結片部１４を、折り曲げ状態で、長尺状造作材１の幅方向に見て略真円形状とした例を示している。
この連結片部１４は、その可撓性からこのような形状に折り曲げ可能とされている。
なお、連結片部１４の折り曲げ状態における連結片部１４の曲率半径は、連結片部１４が破断等し難いように適宜設定すればよい。
また、連結片部１４を、折り曲げ状態で、長尺状造作材１の幅方向に見て半部１１，１２の長手方向や厚さ方向に扁平な略楕円形状等としてもよい。
【００２４】
また、連結片部１４は、折り曲げ状態では、その半部側部位１４ａ，１４ａが、それぞれが連なる半部１１，１２の端縁において、その表面側の化粧シート１７と滑らかに連なる。
上記のような構成により、連結片部１４の折り曲げ状態では、連結片部１４における復元力が、半部側部位１４ａ，１４ａをそれぞれが連なる半部１１，１２に押し付けるような方向に作用する。つまり、連結片部１４における復元力が、連結片部１４を半部１１，１２の端縁から剥離させる方向とは反対方向に（反剥離方向に）作用する。
【００２５】
また、本実施形態に係る長尺状造作材１の梱包構造は、図１（ａ）に示すように、両側の半部１１，１２の表面１１ａ，１２ａ間に滑り防止部材１９を挟持させた構造とされている。また、本実施形態では、滑り防止部材１９を、シート状等とされた滑り防止シート１９としている。
滑り防止シート１９は、両側の半部１１，１２の表面１１ａ，１２ａ間の略全体に亘って設けるようにしてもよい。または、例えば、半部１１，１２の長手方向に間隔を空けて両側の半部１１，１２の表面１１ａ，１２ａ間の複数箇所に滑り防止シート１９を設けるようにしてもよい。
この滑り防止シート１９は、その厚さ方向両面に当接した両側の半部１１，１２の表面域方向へのずれを防止する構成とされている。
このような滑り防止シート１９としては、例えば、摩擦係数が大きいゴム等のエラストマー系材料等からなるものとしてもよく、または密着性のあるストレッチフィルム等の合成樹脂系材料等からなるものとしてもよい。
【００２６】
また、本実施形態に係る長尺状造作材１の梱包構造は、図２に示すように、二つ折りにした長尺状造作材１を複数本、梱包した構造とされている。また、本実施形態では、複数本の二つ折りにした長尺状造作材１を、各半部１１，１２の厚さ方向に隣接させて梱包した構造としている。また、複数本の二つ折りにした長尺状造作材１を、折り曲げ状態とされた各連結片部１４が同じ側に位置するように、隣接させて梱包した構造としている。
【００２７】
また、本実施形態では、長尺状造作材１を箱状体とされた梱包箱２に収容させて梱包した例を示している。
この梱包箱２は、その内周寸法が、上記のように厚さ方向に隣接させた複数本の二つ折りにした長尺状造作材１の外郭形状に応じた寸法とされている。このような梱包箱２としては、段ボールや板紙等から形成されたものとしてもよく、または、合成樹脂系材料等から形成されたものとしてもよい。
なお、各半部１１，１２の連結片部１４側端面（凹溝部１３を区画形成する対向壁部）と梱包箱２の内壁との間に生じた空隙に、連結片部１４に干渉しないように、緩衝材等を充填するように設けるようにしてもよい。
【００２８】
なお、長尺状造作材１を梱包箱２に収容させて梱包する構造に限られず、二つ折りにした長尺状造作材１を、袋状とされた梱包体に梱包した構造としたり、紐状体や、ストレッチフィルム等のシート体で巻いて梱包した構造としてもよい。
また、二つ折りにした長尺状造作材１を、上記のように厚さ方向に複数本隣接させて梱包する構造とした態様に代えて、または加えて、幅方向に複数本隣接させて梱包する構造としてもよい。または、単一の長尺状造作材１を二つ折りにして梱包する構造としてもよい。
【００２９】
本実施形態に係る長尺状造作材１の梱包構造を用いて梱包される長尺状造作材１は、図１（ｂ）及び（ｃ）に示すように、略直線状に展開された状態で凹溝部１３に嵌合される角棒状のスペーサ２０を備えている。
スペーサ２０は、略角棒状とされている。また、スペーサ２０は、凹溝部１３に応じた寸法とされている。
このスペーサ２０は、凹溝部１３の深さ方向に沿う方向の一方側面が半部１１，１２の裏面１１ｂ，１２ｂと略同一平面状となるように、略直線状に展開された長尺状造作材１の凹溝部１３に嵌合される。また、スペーサ２０は、その長尺状造作材１の幅方向に沿う両側面が、長尺状造作材１の幅方向両側面と略同一平面状となるように、略直線状に展開された長尺状造作材１の凹溝部１３に嵌合されるものとしてもよい。
【００３０】
また、本実施形態では、長尺状造作材１は、長尺状造作材１の幅方向一方側面の化粧シート（幅方向一方側化粧シート）１８と、これと略同一平面状に配されるスペーサ２０の一方側面２１と、を同色同柄状としている。例えば、幅方向一方側化粧シート１８と同色同柄状となるように、塗料等を、スペーサ２０の一方側面２１に塗布したり、スペーサ２０の一方側面２１に、幅方向一方側化粧シート１８と同色同柄状とされた化粧シートを貼着するようにしてもよい。
なお、スペーサ２０としては、木質系材料や合成樹脂性材料等から形成されたものとしてもよい。また、スペーサ２０は、凹溝部１３への嵌合のみによって固定するようにしてもよく、または、接着剤等を併用して固定するようにしてもよい。
また、上記のように、長尺状造作材１を梱包箱２に収容させて梱包した構造とした場合には、このスペーサ２０を同梱するようにしてもよい。
【００３１】
上記構成とされた本実施形態に係る長尺状造作材１の梱包構造及びこれを用いて梱包される長尺状造作材１は、上述のような構成としたことで、取り扱い性及び施工後の見栄えの向上が可能でありながらも、破損の発生を低減し、安定的に積み重ねることができる。
つまり、当該長尺状造作材１の梱包構造は、長尺状造作材１の長手方向の略中央の裏面側に、少なくとも化粧シート１７を残すように、凹溝部１３を幅方向の全体に亘って設け、長尺状造作材１を、長手方向の略中央で二つ折りにした状態で梱包した構造とされている。従って、幅寸法や厚さ寸法に比して長さ寸法が極めて大きい長さ寸法を概ね半分にすることができ、輸送時や施工現場における取り扱い性を向上させることができる。また、長尺状造作材１を略直線状に展開した状態では、その前面側の化粧シート１７が途切れることなく一連状となる。これにより、例えば、取り扱い性を向上させるべく単に長手方向を複数に分断したようなものと比べて、長手方向端部同士を突き合わせて形成される継目を少なくすることができ、施工後の見栄えを向上させることができる。
【００３２】
また、凹溝部１３を略角溝状としている。また、各半部側部位１４ａ，１４ａをそれぞれが連なる半部１１，１２の裏面１１ｂ，１２ｂ側へ膨らませるように凹溝部１３の溝底部分の残存部位（連結片部）１４を溝底側が突湾曲面形状となるように折り曲げた状態で梱包した構造としている。従って、少なくとも化粧シート１７を含む連結片部１４への折目の発生を抑制することができる。また、上記のように折り曲げた状態では、連結片部１４における復元力が、各半部側部位１４ａ，１４ａをそれぞれが連なる半部１１，１２に押し付けるような反剥離方向に作用することになる。これにより、連結片部１４が各半部１１，１２の端縁において剥離し難くなる。また、二つ折りされた長尺状造作材１の各半部１１，１２が互いに僅かにずれたような場合にも、それぞれが連なる半部１１，１２の裏面１１ｂ，１２ｂ側へ膨らませるようにした連結片部１４の各半部側部位１４ａ，１４ａによってずれを吸収することができ、剥離や破損等をより効果的に抑制することができる。
また、長尺状造作材１を、長手方向の略中央でその両側の半部１１，１２の表面１１ａ，１２ａが互いに平行となって対向するように二つ折りにした状態で梱包した構造としている。従って、厚さ方向に安定的に積み重ねることができ、取り扱い性をより向上させることができる。また、これにより、積み重ねた長尺状造作材１がずれ難くなるので、連結片部１４の半部１１，１２からの剥離や破損等をより効果的に抑制することができる。
【００３３】
また、本実施形態では、凹溝部１３の溝底部分の化粧シート１７の裏面側に残存させた基材の一部１５に、長尺状造作材１の幅方向に延びる複数の細溝１６を長尺状造作材１の長手方向に並列状に設けている。従って、化粧シート１７の裏面側に残存する基材の一部１５によって、連結片部１４を補強することができ、例えば、連結片部１４を化粧シート１７のみで構成したような場合と比べて、連結片部１４の破損等をより効果的に抑制することができる。また、複数の細溝１６を設けているので、連結片部１４を上記のように折り曲げた際に、残存させた基材の一部１５が割裂等し難くなり、連結片部１４の破損等を抑制することができる。
【００３４】
また、本実施形態では、両側の半部１１，１２の表面１１ａ，１２ａ間に滑り防止シート（滑り防止部材）１９を挟持させている。従って、両側の半部１１，１２同士をよりずれ難くすることができ、連結片部１４の半部１１，１２からの剥離や、破損等をより抑制することができる。なお、このような態様に加えて、または代えて、二つ折りにした長尺状造作材１の半部１１，１２同士の互いのずれを防止する巻付部材を半部１１，１２の周方向に巻き付けて梱包した構造としてもよい。このような巻付部材としては、紐状体やストレッチフィルム等を採用するようにしてもよい。
【００３５】
また、本実施形態に係る梱包構造を用いて梱包される長尺状造作材１は、略直線状に展開された状態で凹溝部１３に嵌合される角棒状のスペーサ２０を備えている。従って、スペーサ２０によって凹溝部１３の空間を目立ち難くさせることができ、長尺状造作材１の施工後の見栄えを向上させることができる。
【００３６】
また、本実施形態では、長尺状造作材１の幅方向一方側面の化粧シート１８と、これと略同一平面状に配されるスペーサ２０の一方側面２１と、を同色同柄状としている。従って、スペーサ２０を目立ち難くさせることができ、長尺状造作材１の施工後の見栄えをさらに向上させることができる。
【００３７】
次に、本発明に係る他の実施の形態について、図面を参照しながら説明する。
図３は、第２実施形態に係る長尺状造作材の梱包構造の一例を模式的に示す図である。
なお、上記第１実施形態との相違点について主に説明し、同様の構成については、同一符号を付し、その説明を省略または簡略に説明する。
本実施形態に係る長尺状造作材１の梱包構造は、滑り防止部材１９Ａの構成が上記第１実施形態とは主に異なる。
本実施形態では、滑り防止部材１９Ａを、上記第１実施形態と比べて厚さ寸法の大きい略薄平板状とされた滑り防止板状体１９Ａとしている。この滑り防止板状体１９Ａは、その厚さ寸法を、両側の半部１１，１２の表面１１ａ，１２ａ間に挟持された状態で、半部側部位１４ａ，１４ａをそれぞれが連なる半部１１，１２の裏面１１ｂ，１２ｂ側へ膨らませるように連結片部１４の溝底側を突湾曲面形状となるように折り曲げ可能な寸法としている。
本実施形態では、滑り防止板状体１９Ａを両側の半部１１，１２の表面１１ａ，１２ａ間に挟持させた状態で、上記第１実施形態と比べて、半部側部位１４ａ，１４ａのそれぞれに連なる半部１１，１２の裏面１１ｂ，１２ｂ側への膨らみ度合いが小さくなり、曲率半径が大きくなる。
なお、本実施形態に係る長尺状造作材１の梱包構造を用いて梱包される長尺状造作材１も、上記同様のスペーサ２０を備えたものとしてもよい。
【００３８】
上記構成とされた本実施形態に係る長尺状造作材１の梱包構造においても、上記第１実施形態と概ね同様の効果を奏する。
また、本実施形態では、滑り防止部材を、上記第１実施形態と比べて厚さ寸法の大きい略薄平板状とされた滑り防止板状体１９Ａとしている。従って、上記第１実施形態と比べて、滑り防止板状体１９Ａを両側の半部１１，１２の表面１１ａ，１２ａ間に挟持させた状態では、半部側部位１４ａ，１４ａの曲率半径が比較的に大きくなる。これにより、半部１１，１２の端縁における化粧シート１７への折目の発生をより抑制すせることができる。
【００３９】
なお、上記各実施形態では、両側の半部１１，１２の表面１１ａ，１２ａ間に滑り防止部材１９（１９Ａ）を挟持させた例を示しているが、このような滑り防止部材１９（１９Ａ）を挟持させない態様としてもよい。
また、上記各実施形態では、凹溝部１３の溝底部分の化粧シート１７の裏面側に残存させた基材の一部１５に、複数の細溝１６を設けた例を示しているが、この態様に限定されない。凹溝部１３の溝底部分の残存部位（連結片部）１４を化粧シート１７のみで構成するようにしてもよい。この場合は、半部１１，１２の対向端面間に凹溝部１３を形成するように適宜の間隔を空けて半部１１，１２を配設し、これら半部１１，１２の基材１０，１０の前面に一連状に化粧シート１７を貼着した態様としてもよい。
【符号の説明】
【００４０】
１            長尺状造作材
１０          基材
１０ａ        表面
１１          半部
１１ａ        表面
１１ｂ        裏面
１２          半部
１２ａ        表面
１２ｂ        裏面
１３          凹溝部
１４          連結片部（凹溝部の溝底部分の残存部位）
１４ａ        半部側部位（半部に連なる近傍部位）
１５          基材の一部
１６          細溝
１７          化粧シート
１８          幅方向一方側化粧シート（幅方向一方側面の化粧シート）
１９          滑り防止シート（滑り防止部材）
１９Ａ        滑り防止板状体（滑り防止部材）
２０          スペーサ
２１          一方側面
【図１】
2014159297.tif 000003
【図２】
2014159297.tif 000004
【図３】
2014159297.tif 000005